(57)【要約】【課題】それぞれ位相がずれている複数相の交流電気各々を流す複数の電線を有するワイヤハーネスにおいて、簡易な構造によって電磁界ノイズを含む高周波のノイズを効果的に抑制できること。【解決手段】ワイヤハーネス１の異形シールド導体２における複数の配線用側面２１は、それぞれ非凸状の側面であり、異形シールド導体２の中心線Ｌｏを基準にして回転対称に形成されている。複数のシールド対象電線３各々は、配線用側面２１各々に沿って配列され、電線保持部４は、シールド対象電線３各々を配線用側面２１各々に沿う位置に保持する。【選択図】図１
2015133237.tif 000002
【特許請求の範囲】
【請求項１】
長尺な導体であり、それぞれ当該導体の非凸状の側面を成すとともに当該導体の中心線を基準にして回転対称に形成された複数の配線用側面を有する異形シールド導体と、
前記異形シールド導体における複数の前記配線用側面各々に沿って配列された複数の電線と、
複数の前記電線各々を前記異形シールド導体における前記配線用側面各々に沿う位置に保持する電線保持部と、を備えるワイヤハーネス。
【請求項２】
前記配線用側面各々は前記電線各々の外周面における周方向の一部が入った溝状の凹面である、請求項１に記載のワイヤハーネス。
【請求項３】
前記配線用側面各々は前記中心線の周囲において螺旋状に延びて形成されている、請求項１または請求項２に記載のワイヤハーネス。
【請求項４】
前記異形シールド導体は管状に形成されている、請求項１から請求項３のいずれか１項に記載のワイヤハーネス。
【請求項５】
前記電線保持部は、前記異形シールド導体に固定された固定部と前記電線各々を弾性力によって把持する複数の把持部とを有する、請求項１から請求項４のいずれか１項に記載のワイヤハーネス。
【発明の詳細な説明】
【技術分野】
【０００１】
本発明は、電線とシールド導体とを備えるワイヤハーネスに関する。
【背景技術】
【０００２】
車両において、高周波の電気が流れるワイヤハーネスは、高周波ノイズの対策が必要である。例えば、ハイブリッド自動車などの電動車両において、駆動モータとインバータ回路とを接続するワイヤハーネスは、高周波ノイズの対策が重要なワイヤハーネスの典型例である。
【０００３】
電動車両の駆動モータ（三相モータ）に接続されるワイヤハーネスは、対称三相交流の電気を伝導する３本の電力線を備える。対称三相交流において、各相の位相のずれは同じ（１２０度）である。
【０００４】
例えば、特許文献１が示すように、高周波の電気が流れる複数の電線に沿ってシールド導体（高周波漏れ電流リターン線）を配線することが、ワイヤハーネスにおける高周波のノイズ対策として有効であることが知られている。シールド導体は、ワイヤハーネスの低インピーダンス化に寄与し、その結果、ワイヤハーネスにおけるコモンモードノイズが低減される。
【先行技術文献】
【特許文献】
【０００５】
【特許文献１】国際公開第２００８／０４１７０８号
【発明の概要】
【発明が解決しようとする課題】
【０００６】
ところで、三相モータに接続されるワイヤハーネスのように、それぞれ位相がずれている複数相の交流電気各々を流す複数の電線を有するワイヤハーネスにおいて、各相の交流電気によって生じる電磁界ノイズを抑制することも重要である。
【０００７】
本発明は、それぞれ位相がずれている複数相の交流電気各々を流す複数の電線を有するワイヤハーネスにおいて、簡易な構造によって電磁界ノイズを含む高周波のノイズを効果的に抑制できることを目的とする。
【課題を解決するための手段】
【０００８】
第１態様に係るワイヤハーネスは、異形シールド導体と複数の電線と電線保持部とを備えている。上記異形シールド導体は、長尺な導体であり、それぞれその導体の非凸状の側面を成す複数の配線用側面を有している。上記異形シールド導体における上記配線用側面は、上記異形シールド導体の中心線を基準にして回転対称に形成されている。複数の上記電線各々は、上記異形シールド導体における複数の上記配線用側面各々に沿って配列されている。上記電線保持部は、複数の上記電線各々を上記異形シールド導体における上記配線用側面各々に沿う位置に保持する。
【０００９】
第２態様に係るワイヤハーネスは、第１態様に係るワイヤハーネスの一態様である。第２態様に係るワイヤハーネスにおいて、上記配線用側面各々は上記電線各々の外周面における周方向の一部が入った溝状の凹面である。
【００１０】
第３態様に係るワイヤハーネスは、第１態様または第２態様に係るワイヤハーネスの一態様である。第３態様に係るワイヤハーネスにおいて、上記配線用側面各々は上記中心線の周囲において螺旋状に延びて形成されている。
【００１１】
第４態様に係るワイヤハーネスは、第１態様から第３態様のいずれか１つに係るワイヤハーネスの一態様である。第４態様に係るワイヤハーネスにおいて、上記異形シールド導体は管状に形成されている。
【００１２】
第５態様に係るワイヤハーネスは、第１態様から第４態様のいずれか１つに係るワイヤハーネスの一態様である。第５態様に係るワイヤハーネスにおいて、上記電線保持部は、上記異形シールド導体に固定された固定部と上記電線各々を弾性力によって把持する複数の把持部とを有する。
【発明の効果】
【００１３】
上記の各態様によれば、シールド導体（異形シールド導体）の側面を成す複数の配線用側面各々が、非凸状の側面である。ここで、非凸状の側面は、異形シールド導体の横断面の輪郭における当該側面に相当する部分が直線状または外周側で凹状であることを意味する。電線の外周面は凸状の面であるため、電線が配線用側面に沿う状態で安定的に保持されやすい。従って、電線各々に流れる高周波の電気に起因する高周波ノイズ（コモンモードノイズ）を安定的に抑制することができる。
【００１４】
さらに、Ｎが２以上の整数であるとすると、Ｎ個の配線用側面は、異形シールド導体の中心線を基準にしてＮ回対称の面として形成されている。従って、Ｎ本の電線各々が上記のようなＮ個の配線用側面各々に沿って配列されると、それらＮ本の電線が、概ね異形シールド導体の中心線を基準としてＮ回対称の位置関係で安定的に保持される。
【００１５】
対称なＮ相交流の電気を伝導するＮ本の電線がＮ回対称の位置関係で配列されると、各相の交流電気によって生じる電磁界ノイズが相互に打ち消し合う。そのため、各相の交流電気によって生じる電磁界ノイズを安定的に抑制することができる。しかも、シールド導体の形状の工夫により、特別な部材の追加を伴わずに簡易な構造によって高周波ノイズを効果的に抑制できる。
【００１６】
さらに、異形シールド導体は、Ｎ本の電線がＮ回対称の位置関係で配列されたときに電線群の中心の隙間を埋めるように形成されている。そのため、ワイヤハーネスにおける電線および異形シールド導体のスペース効率が高まり、ワイヤハーネスの省スペース化も可能となる。
【００１７】
また、第２態様において、配線用側面各々は、電線各々の外周面における周方向の一部が入った溝状の凹面である。この場合、電線が配線用側面に沿う状態でより安定的に保持されやすい。
【００１８】
また、第３態様において、配線用側面各々は異形シールド導体の中心線の周囲において螺旋状に延びて形成されている。この場合、Ｎ本の電線各々がそのような配線用側面各々に沿って配列されると、Ｎ本の電線は、撚り線のような形状、すなわち、異形シールド導体の中心線の周囲に螺旋状に撚り合わさったような形状で、Ｎ回対称の位置関係になる。
【００１９】
対称なＮ相交流の電気を伝導するＮ本の電線が、撚り線のような形状で配列されると、各相の交流電気によって生じる電磁界ノイズ相互の打ち消し効果がより高まる。
【００２０】
また、第４態様において、異形シールド導体は管状に形成されている。電線各々が非常に高い周波数の電気を伝導する場合、いわゆる表皮効果により、異形シールド導体の中心線付近の部分のノイズ低減への寄与度が低くなる。従って、第４態様によれば、電線各々が伝導する電気の周波数によっては、ノイズ低減効果を犠牲にすることなく異形シールド導体を軽量化することが可能となる。
【００２１】
また、第５態様によれば、異形シールド導体に固定された電線保持部が、電線各々を弾性力によって把持する。これにより、異形シールド導体と電線各々とを予め定められた位置関係で合体させることが容易となる。
【図面の簡単な説明】
【００２２】
【図１】第１実施形態に係るワイヤハーネス１の一部の斜視図である。
【図２】ワイヤハーネス１の一部の分解斜視図である。
【図３】第２実施形態に係るワイヤハーネス１Ａの一部の斜視図である。
【図４】第３実施形態に係るワイヤハーネス１Ｂの一部の斜視図である。
【図５】第４実施形態に係るワイヤハーネス１Ｃの一部の分解斜視図である。
【図６】第５実施形態に係るワイヤハーネス１Ｄの一部の斜視図である。
【図７】第６実施形態に係るワイヤハーネス１Ｅの一部の斜視図である。
【図８】第７実施形態に係るワイヤハーネス１Ｆが備える異形シールド導体の一部の斜視図である。
【図９】ワイヤハーネス１Ｆの斜視図である。
【発明を実施するための形態】
【００２３】
以下、添付の図面を参照しながら、実施形態について説明する。以下の実施形態は、本発明を具体化した一例であり、本発明の技術的範囲を限定する事例ではない。以下に示される各実施形態に係るワイヤハーネスは、自動車などの車両に搭載される車両用のワイヤハーネスとして実施されることが考えられる。
【００２４】
＜第１実施形態＞
まず、図１，２を参照しつつ、第１実施形態に係るワイヤハーネス１について説明する。ワイヤハーネス１は、例えば、電動車両におけるインバータ回路と走行用のモータ（三相モータ）とを接続する対称三相交流の電力ケーブルなどである。
【００２５】
図１，２が示すように、ワイヤハーネス１は、異形シールド導体２と複数のシールド対象電線と電線保持部４とを備えている。
【００２６】
＜異形シールド導体＞
異形シールド導体２は、長尺な導体であり、例えば、銅、アルミニウム、ステンレスまたは鉄などを主成分とする金属部材である。
【００２７】
異形シールド導体２は、それぞれその当該異形シールド導体２の非凸状の側面を成す複数の配線用側面２１を有している。異形シールド導体２における複数の配線用側面２１は、異形シールド導体２の中心線Ｌｏを基準にして回転対称に形成されている。
【００２８】
Ｎが２以上の整数であるとすると、Ｎ個の配線用側面２１は、異形シールド導体２の中心線Ｌｏを基準にしてＮ回対称の側面として形成されている。
【００２９】
即ち、配線用側面２１各々は、異形シールド導体２の中心線Ｌｏから等距離の位置で異形シールド導体２の非凸状の側面を成している。さらに、配線用側面２１各々は、中心線Ｌｏに直交する平面各々において中心線Ｌｏの周囲の全周方向を等分する複数の放射方向各々を向く側面である。
【００３０】
本実施形態において、異形シールド導体２は、３つの配線用側面２１を有し、３つの配線用側面２１が、中心線Ｌｏを基準にして３回対称の側面として形成されている。従って、３つの配線用側面２１は、中心線Ｌｏに直交する平面各々において、中心線Ｌｏの周囲の全周方向を３等分する３つの放射方向各々を向く側面、即ち、中心線Ｌｏから見て１２０度ずつ異なる放射方向各々を向く側面である。
【００３１】
異形シールド導体２は、例えば、直線状の中心線Ｌｏに沿って形成されている。また、異形シールド導体２の中心線Ｌｏが、僅かに湾曲した線であることも考えられる。
【００３２】
非凸状の側面とは、異形シールド導体２の横断面の輪郭におけるその側面に相当する部分が直線状または外周側で凹状であることを意味する。
【００３３】
本実施形態の異形シールド導体２において、配線用側面２１各々は、それぞれ中心線Ｌｏに平行に形成されている。
【００３４】
本実施形態の異形シールド導体２において、配線用側面２１各々はシールド対象電線３各々の外周面における周方向の一部が入った溝状の凹面である。図１，２が示す例では、配線用側面２１各々は、円柱状のシールド対象電線各々における外周面の一部に沿って湾曲した溝状の凹面である。
【００３５】
異形シールド導体２は、その両端部において、シールド対象電線３の接続先の機器を収容する導電性の筐体に対して電気的に接続される。
【００３６】
＜電線＞
シールド対象電線３各々は、シールドの対象となる電線である。本実施形態において、シールド対象電線３各々は、導電性の芯線３１と芯線３１の周囲を覆う絶縁被覆３２とを有する絶縁電線である。
【００３７】
本実施形態において、シールド対象電線３各々の絶縁被覆３２は、異形シールド導体２とシールド対象電線各々とを電気的に遮断する絶縁体の一例である。
【００３８】
ワイヤハーネス１は、異形シールド導体２が有する配線用側面２１の数と同数のシールド対象電線３を備える。換言すれば、異形シールド導体２は、シールド対象電線３と同数の配線用側面２１を有している。
【００３９】
シールド対象電線３各々は、異形シールド導体２における配線用側面２１各々に沿って配列されている。そのため、複数のシールド対象電線３は、概ね異形シールド導体２の中心線Ｌｏを基準としてＮ回対称の位置関係で配列されている。
【００４０】
＜電線保持部＞
電線保持部４は、複数のシールド対象電線３各々を異形シールド導体２における配線用側面２１各々に沿う位置に保持している。なお、図４において、電線保持部４の描画は省略されている。
【００４１】
本実施形態における電線保持部４は、異形シールド導体２の配線用側面２１各々に接する状態で異形シールド導体２の周囲に並ぶ複数のシールド対象電線３を結束する結束バンドまたは粘着テープなどの結束材である。
【００４２】
図１には、１つの電線保持部４（結束材）のみが示されているが、ワイヤハーネス１は複数の電線保持部４を備えている。これら電線保持部４は、複数のシールド対象電線３をその長手方向における複数の箇所において複数の配線用側面２１に沿う状態に保持する。
【００４３】
＜効果＞
ワイヤハーネス１において、異形シールド導体２の側面を成す複数の配線用側面２１各々が、非凸状の側面である。シールド対象電線３の外周面は凸状の面であるため、シールド対象電線３が配線用側面２１に沿う状態で安定的に保持されやすい。
【００４４】
また、配線用側面２１各々は、シールド対象電線３各々の外周面における周方向の一部が入った溝状の凹面である。この場合、シールド対象電線３が配線用側面２１に沿う状態でより安定的に保持されやすい。
【００４５】
従って、それぞれ位相がずれている複数相の交流電気各々がシールド対象電線３各々に流れる場合に、シールド対象電線３各々に流れる高周波の電気に起因する高周波ノイズ（コモンモードノイズ）を安定的に抑制することができる。
【００４６】
さらに、３つの配線用側面２１は、異形シールド導体２の中心線Ｌｏを基準にしてＮ回対称の面として形成されている。そのため、３本のシールド対象電線３が、概ね異形シールド導体２の中心線Ｌｏを基準として３回対称の位置関係で安定的に保持される。
【００４７】
対称三相交流の電気を伝導する３本のシールド対象電線３が３回対称の位置関係で配列されると、各相の交流電気によって生じる電磁界ノイズが相互に打ち消し合う。そのため、各相の交流電気によって生じる電磁界ノイズを安定的に抑制することができる。しかも、形状が工夫された異形シールド導体２の採用により、特別な部材の追加を伴わずに簡易な構造によって高周波ノイズを効果的に抑制できる。
【００４８】
さらに、異形シールド導体２は、３本のシールド対象電線３が３回対称の位置関係で配列されたときに電線群の中心の隙間を埋めるように形成されている。そのため、ワイヤハーネス１におけるシールド対象電線３および異形シールド導体２のスペース効率が高まり、ワイヤハーネス１の省スペース化も可能となる。
【００４９】
＜第２実施形態＞
次に、図３を参照しつつ、第２実施形態に係るワイヤハーネス１Ａについて説明する。図３は、ワイヤハーネス１Ａの一部の斜視図である。図３において、図１，２に示される構成要素と同じ構成要素は、同じ参照符号が付されている。
【００５０】
ワイヤハーネス１Ａは、図１，２が示すワイヤハーネス１における異形シールド導体２が異形シールド導体２Ａに置き換えられた構成を有している。
【００５１】
即ち、ワイヤハーネス１Ａは、異形シールド導体２Ａと複数のシールド対象電線３と電線保持部４とを備えている。以下、ワイヤハーネス１Ａの異形シールド導体２Ａにおける異形シールド導体２と異なる点について説明する。
【００５２】
異形シールド導体２Ａは、異形シールド導体２と同様に、その中心線Ｌｏを基準にして３回対称の側面を成す３つの配線用側面２１Ａを有している。従って、３つの配線用側面２１Ａは、中心線Ｌｏに直交する平面各々において、中心線Ｌｏの周囲の全周方向を３等分する３つの放射方向各々を向く側面、即ち、中心線Ｌｏから見て１２０度ずつ異なる放射方向各々を向く側面である。
【００５３】
３つの配線用側面２１Ａ各々は、異形シールド導体２Ａの横断面の輪郭におけるその側面に相当する部分が直線状である。この点が、異形シールド導体２と比較して異形シールド導体２Ａが異なる点である。
【００５４】
本実施形態の異形シールド導体２Ａにおいて、配線用側面２１Ａ各々は、それぞれ中心線Ｌｏに平行に形成されている。従って、３つの配線用側面２１Ａ各々は平面である。
【００５５】
図３が示す例では、異形シールド導体２Ａは、配線用側面２１Ａ以外の側面を有していないため、正三角柱に形成されている。
【００５６】
図３が示すようなワイヤハーネス１Ａが採用される場合も、前述したワイヤハーネス１が採用される場合と同様の効果が得られる。
【００５７】
＜第３実施形態＞
次に、図４を参照しつつ、第３実施形態に係るワイヤハーネス１Ｂについて説明する。図４は、ワイヤハーネス１Ｂの一部の斜視図である。図４において、図１，２，３に示される構成要素と同じ構成要素は、同じ参照符号が付されている。
【００５８】
ワイヤハーネス１Ａは、図３が示すワイヤハーネス１Ａにおける異形シールド導体２Ａが異形シールド導体２Ｂに置き換えられた構成を有している。
【００５９】
即ち、ワイヤハーネス１Ｂは、異形シールド導体２Ｂと複数のシールド対象電線３と電線保持部４とを備えている。以下、ワイヤハーネス１Ｂの異形シールド導体２Ｂにおける異形シールド導体２Ａと異なる点について説明する。
【００６０】
異形シールド導体２Ｂは、異形シールド導体２Ａと同様に、その中心線Ｌｏを基準にして３回対称の側面を成す３つの配線用側面２１Ａを有している。３つの配線用側面２１Ａ各々は、異形シールド導体２Ａの横断面の輪郭におけるその側面に相当する部分が直線状である。より具体的には、３つの配線用側面２１Ａ各々は平面である。
【００６１】
異形シールド導体２Ｂは、管状に形成されている。即ち、異形シールド導体２Ｂには、中心線Ｌｏに沿う中空部２２が形成されている。この点が、異形シールド導体２Ａと比較して異形シールド導体２Ｂが異なる点である。
【００６２】
図４が示すようなワイヤハーネス１Ｂが採用される場合も、前述したワイヤハーネス１，１Ａが採用される場合と同様の効果が得られる。
【００６３】
また、シールド対象電線３各々が非常に高い周波数の電気を伝導する場合、いわゆる表皮効果により、シールド導体における中心線Ｌｏ付近の部分のノイズ低減への寄与度が低くなる。従って、ワイヤハーネス１Ｂが採用されれば、シールド対象電線３各々が伝導する電気の周波数によっては、ノイズ低減効果を犠牲にすることなく異形シールド導体２Ｂを軽量化することが可能となる。
【００６４】
＜第４実施形態＞
次に、図５を参照しつつ、第４実施形態に係るワイヤハーネス１Ｃについて説明する。図５は、ワイヤハーネス１Ｃの一部の分解斜視図である。図５において、図１，２，３，４に示される構成要素と同じ構成要素は、同じ参照符号が付されている。
【００６５】
ワイヤハーネス１Ｃは、図３が示すワイヤハーネス１Ａにおける電線保持部４が電線保持部５に置き換えられた構成を有している。
【００６６】
即ち、ワイヤハーネス１Ｃは、異形シールド導体２Ｂと複数のシールド対象電線３と電線保持部５とを備えている。以下、ワイヤハーネス１Ｃの電線保持部５における電線保持部４と異なる点について説明する。
【００６７】
電線保持部５は、異形シールド導体２Ａと合体して形成されている。即ち、電線保持部５は、異形シールド導体２Ａに固定された固定部５１を有している。
【００６８】
さらに、電線保持部５は、シールド対象電線３各々を把持する複数の把持部５２を有している。把持部５２各々は、シールド対象電線３を嵌め入れ可能な中空部である電線挿入部５２０の周囲を少なくとも１８０度を超える範囲において囲むとともに、電線挿入部５２０への開口を形成している。
【００６９】
把持部５２各々は、弾性変形可能に形成されており、シールド対象電線３における開口から電線挿入部５２０へ挿入された部分を弾性力によって把持する。
【００７０】
ワイヤハーネス１Ｃは、複数の電線保持部５を備えている。これら電線保持部５は、複数のシールド対象電線３をその長手方向における複数の箇所において複数の配線用側面２１に沿う状態に保持する。
【００７１】
電線保持部５は、把持部５２各々がシールド対象電線３各々を把持することにより、シールド対象電線３各々を異形シールド導体２Ａにおける配線用側面２１Ａ各々に沿う状態に保持する。
【００７２】
電線保持部５は、例えば、インサート成形によって異形シールド導体２Ａの一部に成形された合成樹脂の部材である。なお、電線保持部５が、予め成形された後に異形シールド導体２Ａに取り付けられた部材であることも考えられる。
【００７３】
図５が示すようなワイヤハーネス１Ｃが採用される場合も、前述したワイヤハーネス１，１Ａが採用される場合と同様の効果が得られる。さらに、電線保持部５の採用により、異形シールド導体２Ａとシールド対象電線３各々とを予め定められた位置関係で合体させることが容易となる。
【００７４】
＜第５および第６実施形態＞
次に、図６，７を参照しつつ、第５実施形態および第６実施形態に係るワイヤハーネス１Ｄ，１Ｅについて説明する。図６は、ワイヤハーネス１Ｄの一部の斜視図である。図７は、ワイヤハーネス１Ｅの一部の斜視図である。図６，７において、図１〜５に示される構成要素と同じ構成要素は、同じ参照符号が付されている。
【００７５】
ワイヤハーネス１Ｄ，１Ｅは、図１，２が示すワイヤハーネス１と比較してシールド対象電線３の数が異なる。これに伴い、ワイヤハーネス１Ｄ，１Ｅは、ワイヤハーネス１における異形シールド導体２が異形シールド導体２Ｄ，２Ｅに置き換えられた構成を有している。
【００７６】
即ち、ワイヤハーネス１Ｄは、異形シールド導体２Ｄと２本のシールド対象電線３と電線保持部４とを備えている。また、ワイヤハーネス１Ｅは、異形シールド導体２Ｅと６本のシールド対象電線３と電線保持部４とを備えている。
【００７７】
異形シールド導体２Ｄは、その中心線Ｌｏを基準にして２回対称の側面を成す２つの配線用側面２１Ｄを有している。従って、２つの配線用側面２１Ｄは、中心線Ｌｏに直交する平面各々において、中心線Ｌｏの周囲の全周方向を２等分する２つの放射方向各々を向く側面、即ち、中心線Ｌｏから見て１８０度ずつ異なる放射方向各々を向く側面である。
【００７８】
一方、異形シールド導体２Ｅは、その中心線Ｌｏを基準にして６回対称の側面を成す６つの配線用側面２１Ｅを有している。従って、６つの配線用側面２１Ｅは、中心線Ｌｏに直交する平面各々において、中心線Ｌｏの周囲の全周方向を６等分する２つの放射方向各々を向く側面、即ち、中心線Ｌｏから見て６０度ずつ異なる放射方向各々を向く側面である。
【００７９】
異形シールド導体２Ｄを備えるワイヤハーネス１Ｄは、例えば、電動車両において走行用モータ（三相モータ）に接続された対称三相交流のインバータ回路とバッテリとを接続する直流電力ケーブルなどである。
【００８０】
通常、直流電力ケーブル自体においては、高周波ノイズの問題は生じない。しかしながら、直流電力ケーブルが高周波数のインバータ回路に接続されると、高周波ノイズがインバータ回路から直流電力ケーブルへ伝搬することがある。このような場合に、ワイヤハーネス１Ｄの採用が有効となる。
【００８１】
また、異形シールド導体２Ｅを備えるワイヤハーネス１Ｅは、例えば、電動車両においてインバータ回路と２つの走行用モータ（三相モータ）とを接続する一対の対称三相交流の電力ケーブルである。
【００８２】
例えば、ワイヤハーネス１Ｅにおける６本のシールド対象電線３は、２つの走行用モータの一方に接続される対称三相交流用の３本の電線と、２つの走行用モータの他方に接続される対称三相交流用の３本の電線とを含む。
【００８３】
上記の場合、２組の対称三相交流の電力における位相が相互に６０度ずつずれていれば、６本のシールド対象電線３が６回対称の位置関係で配列されることにより、各相の交流電気によって生じる電磁界ノイズが相互に打ち消し合う。
【００８４】
従って、図６，７が示すようなワイヤハーネス１Ｄ，１Ｅが採用される場合も、前述したワイヤハーネス１，１Ａが採用される場合と同様の効果が得られる。
【００８５】
３つの配線用側面２１Ａ各々は、異形シールド導体２Ａの横断面の輪郭におけるその側面に相当する部分が直線状である。この点が、異形シールド導体２Ａと比較して異形シールド導体２Ｄ，２Ｅが異なる点である。
【００８６】
本実施形態の異形シールド導体２Ａにおいて、配線用側面２１Ａ各々は、それぞれ中心線Ｌｏに平行に形成されている。従って、３つの配線用側面２１Ａ各々は平面である。
【００８７】
図３が示す例では、異形シールド導体２Ａは、配線用側面２１Ａ以外の側面を有していないため、正三角柱に形成されている。
【００８８】
図３が示すようなワイヤハーネス１Ａが採用される場合も、前述したワイヤハーネス１が採用される場合と同様の効果が得られる。
【００８９】
＜第７実施形態＞
次に、図８，９を参照しつつ、第７実施形態に係るワイヤハーネス１Ｆについて説明する。図８は、ワイヤハーネス１Ｆが備える異形シールド導体２Ｆの一部の斜視図である。図９は、ワイヤハーネス１Ｆの斜視図である。図８，９において、図１〜７に示される構成要素と同じ構成要素は、同じ参照符号が付されている。
【００９０】
ワイヤハーネス１Ｆは、図１，２が示すワイヤハーネス１における異形シールド導体２が異形シールド導体２Ｆに置き換えられた構成を有している。
【００９１】
即ち、ワイヤハーネス１Ｆは、異形シールド導体２Ｆと複数のシールド対象電線３と電線保持部４とを備えている。以下、ワイヤハーネス１Ｆの異形シールド導体２Ｆにおける異形シールド導体２と異なる点について説明する。
【００９２】
異形シールド導体２Ｆは、異形シールド導体２と同様に、その中心線Ｌｏを基準にして３回対称の側面を成す３つの配線用側面２１Ｆを有している。従って、３つの配線用側面２１Ｆは、中心線Ｌｏに直交する平面各々において、中心線Ｌｏの周囲の全周方向を３等分する３つの放射方向各々を向く側面、即ち、中心線Ｌｏから見て１２０度ずつ異なる放射方向各々を向く側面である。
【００９３】
３つの配線用側面２１Ｆ各々は、配線用側面２１と同様に、シールド対象電線３各々の外周面における周方向の一部が入った溝状の凹面である。
【００９４】
異形シールド導体２Ｆにおいて、３つの配線用側面２１Ｆ各々は、異形シールド導体２Ｆの中心線Ｌｏの周囲において螺旋状に延びて形成されている。即ち、３つの配線用側面２１Ｆ各々は、中心線Ｌｏの周囲における相互の位置関係を一定にしつつ中心線Ｌｏの周囲を螺旋状に旋回する経路に沿って形成されている。この点が、異形シールド導体２Ａと比較して異形シールド導体２Ｆが異なる点である。
【００９５】
３本のシールド対象電線３各々は配線用側面２１Ｆ各々に沿って配列された状態で保持されている。この場合、図９が示すように、３本のシールド対象電線３は、撚り線のような形状、すなわち、中心線Ｌｏの周囲に螺旋状に撚り合わさったような形状で、３回対称の位置関係になる。
【００９６】
対称三相交流の電気を伝導する３本のシールド対象電線３が、撚り線のような形状で配列されると、各相の交流電気によって生じる電磁界ノイズ相互の打ち消し効果がより高まる。
【００９７】
＜応用例＞
前述したように、シールド対象電線３各々の絶縁被覆３２は、異形シールド導体２とシールド対象電線各々とを電気的に遮断する絶縁体の一例である。一方、異形シールド導体２とシールド対象電線各々とを電気的に遮断する絶縁体が、異形シールド導体２，２Ａ，２Ｂ，２Ｄ，２Ｅ，２Ｆの周囲を覆う絶縁被覆であってもよい。
【００９８】
例えば、導体とその導体の表面に樹脂塗料の塗布によって形成された絶縁被覆（エナメル被覆）とを有するエナメル線が、絶縁被覆付の異形シールド導体２，２Ａ，２Ｂ，２Ｄ，２Ｅ，２Ｆとして採用されることが考えられる。
【００９９】
エナメル線などの被覆電線が、絶縁被覆付の異形シールド導体２，２Ａ，２Ｂ，２Ｄ，２Ｅ，２Ｆとして採用される場合、シールド対象電線３が裸電線であることも考えられる。この場合、ワイヤハーネス１，１Ａ，１Ｂ，１Ｃ，１Ｄ，１Ｅ，１Ｆが、複数のシールド対象電線３（裸電線）の束を一括して覆う非導電性の外装部材を備えることが考えられる。非導電性の外装部材は、例えば、コルゲートチューブなどである。
【０１００】
また、ワイヤハーネス１，１Ｆにおける異形シールド導体２，２Ｆが、異形シールド導体２Ｂと同様に中空部２２が形成された管状の導体であることも考えられる。
【０１０１】
また、ワイヤハーネス１，１Ａ，１Ｂ，１Ｄ，１Ｅ，１Ｆにおいて、電線保持部４が、シールド対象電線３各々を異形シールド導体２，２Ａ，２Ｂ，２Ｄ，２Ｅ，２Ｆにおける配線用側面２１，２１Ａ，２１Ｄ，２１Ｅ，２１Ｆ各々に接着することによって配線用側面２１，２１Ａ，２１Ｄ，２１Ｅ，２１Ｆ各々に沿う位置に保持する接着層であることも考えられる。この場合、例えば、電線保持部４（接着層）がホットメルトなどの接着剤または両面粘着テープなどであることが考えられる。
【０１０２】
なお、本発明に係るワイヤハーネスは、各請求項に記載された発明の範囲において、以上に示された各実施形態および応用例を自由に組み合わせること、あるいは各実施形態および応用例を適宜、変形するまたは一部を省略することによって構成されることも可能である。
【符号の説明】
【０１０３】
１，１Ａ，１Ｂ，１Ｃ，１Ｄ，１Ｅ，１Ｆ  ワイヤハーネス
２，２Ａ，２Ｂ，２Ｄ，２Ｅ，２Ｆ  異形シールド導体
２１，２１Ａ，２１Ｄ，２１Ｅ，２１Ｆ  配線用側面
２２  中空部
３  シールド対象電線（電線）
３１  芯線
３２  絶縁被覆
４，５  電線保持部
５１  固定部
５２  把持部
５２０  電線挿入部
Ｌｏ  異形シールド導体の中心線
【図１】
2015133237.tif 000003
【図２】
2015133237.tif 000004
【図３】
2015133237.tif 000005
【図４】
2015133237.tif 000006
【図５】
2015133237.tif 000007
【図６】
2015133237.tif 000008
【図７】
2015133237.tif 000009
【図８】
2015133237.tif 000010
【図９】
2015133237.tif 000011